【手続補正書】
【提出日】平成16年9月27日(2004.9.27)
【手続補正１】
【補正対象書類名】明細書
【補正対象項目名】発明の名称
【補正方法】変更
【補正の内容】
【発明の名称】ガイド情報変更方法及びガイド情報変更プログラム、並びに情報処理装置
【手続補正２】
【補正対象書類名】明細書
【補正対象項目名】特許請求の範囲
【補正方法】変更
【補正の内容】
【特許請求の範囲】
【請求項１】
目的地や目的施設に関する文字、画像及び地図データからなるベンダー側提供のガイド情報と、ユーザが書き加えたユーザ情報とを表示する情報処理装置にあって前記ガイド情報を変更するためのガイド情報変更方法であって、
前記ガイド情報とは別の領域に書き加えた前記ユーザ情報には変更を加えず、ベースとなる前記ガイド情報だけを変更する
ことを特徴とするガイド情報変更方法。
【請求項２】
新バージョンの変更データを読み込むデータ読み込み工程と、
書き込み先を検索する書き込み先検索工程と、
旧バージョンの元データを探す元データ探索工程と、
前記元データ中に前記ユーザ情報へのリンク情報があるか否かを判定するリンク情報判定工程と、
前記リンク情報判定工程にて有ることが判定されたリンク情報を一時退避するリンク情報退避工程と、
前記リンク情報退避工程でリンク情報が退避された元データを前記変更データに書き換えるデータ書き込み工程と、
前記データ書き込み工程で書き換えられた変更データ中に前記退避されたリンク情報を書き込むリンク情報書き込み工程と
を備えることを特徴とする請求項１記載のガイド情報変更方法。
【請求項３】
目的地や目的施設に関する文字、画像及び地図データからなる、ベンダー側提供のガイド情報を、ユーザが書き加えたユーザ情報と共に表示する情報処理装置によって実行されるガイド情報変更プログラムであって、
前記ユーザ情報には変更を加えず、ベースとなる前記ガイド情報だけを変更するために、
新バージョンの変更データを読み込むデータ読み込み工程と、
書き込み先を検索する書き込み先検索工程と、
旧バージョンの元データを探す元データ探索工程と、
前記元データ中に前記ユーザ情報へのリンク情報があるか否かを判定するリンク情報判定工程と、
前記リンク情報判定工程にて有ることが判定されたリンク情報を一時退避するリンク情報退避工程と、
前記リンク情報退避工程でリンク情報が退避された元データを前記変更データに書き換えるデータ書き込み工程と、
前記データ書き込み工程で書き換えられた変更データ中に前記退避されたリンク情報を書き込むリンク情報書き込み工程と
を備えることをガイド情報変更プログラム。
【請求項４】
目的地や目的施設に関する文字、画像及び地図データからなるベンダー側提供のガイド情報と、ユーザが書き加えたユーザ情報とを表示する情報処理装置において、
前記ガイド情報とは別の領域に書き加えた前記ユーザ情報には変更を加えず、ベースとなる前記ガイド情報だけを変更するガイド情報変更プログラムを記録している記録媒体と、
前記記録媒体から前記ガイド情報変更プログラムを読み出して実行する実行手段と、
前記実行手段によって実行されたガイド情報変更プログラムによって変更された前記ガイド情報と、変更が加えられなかった前記ユーザ情報とを表示する表示手段と
を備えることを特徴とする情報処理装置。
【請求項５】
前記実行手段は、前記ユーザ情報には変更を加えず、ベースとなる前記ガイド情報だけを変更するための前記ガイド情報変更プログラムを前記記録媒体から読み出して実行することにより、
新バージョンの変更データを読み込み、書き込み先を検索し、旧バージョンの元データを探し、前記元データ中に前記ユーザ情報へのリンク情報があるか否かを判定し、判定されたリンク情報を一時退避し、リンク情報が退避された元データを前記変更データに書き換えるデータ書き込み、書き換えられた変更データ中に前記退避されたリンク情報を書き込む
ことを特徴とする請求項４記載の情報処理装置。
【手続補正３】
【補正対象書類名】明細書
【補正対象項目名】０００１
【補正方法】変更
【補正の内容】
【０００１】
【発明の属する技術分野】
本発明は、旅行、イベント鑑賞，観覧，訪問などの対象となる、観光地や、目的施設、場所等に関する文字による解説情報や、経路，交通手段に関する情報、地図，写真などの画像情報、さらには目的施設、場所周辺で使用される言語に関する言語情報等の様々なガイド情報を電子的に処理する情報処理装置に適用される、前記ガイド情報を変更するためのガイド情報変更方法及びガイド情報変更プログラムに関する。また、目的地や目的施設に関する文字、画像及び地図データからなるベンダー側提供のガイド情報と、ユーザが書き加えたユーザ情報とを表示する情報処理装置に関する。
【手続補正４】
【補正対象書類名】明細書
【補正対象項目名】０００６
【補正方法】変更
【補正の内容】
【０００６】
本発明は、前記実情に鑑みてなされたものであり、ユーザが書き込んだユーザ情報はそのままに、ベンダー側が提供したガイド情報だけを変更するためのガイド情報変更方法及びガイド情報変更プログラムの提供を目的とする。また、ユーザが書き込んだユーザ情報はそのままに、ベンダー側が提供したガイド情報だけを変更する情報処理装置の提供を目的とする。
【手続補正５】
【補正対象書類名】明細書
【補正対象項目名】０００９
【補正方法】変更
【補正の内容】
【０００９】
本発明に係るガイド情報変更プログラムは、前記課題を解決するために、目的地や目的施設に関する文字、画像及び地図データからなる、ベンダー側提供のガイド情報を、ユーザが書き加えたユーザ情報と共に表示する情報処理装置によって実行されるガイド情報変更プログラムであって、前記ユーザ情報には変更を加えず、ベースとなる前記ガイド情報だけを変更するために、新バージョンの変更データを読み込むデータ読み込み工程と、書き込み先を検索する書き込み先検索工程と、旧バージョンの元データを探す元データ探索工程と、前記元データ中に前記ユーザ情報へのリンク情報があるか否かを判定するリンク情報判定工程と、前記リンク情報判定工程にて有ることが判定されたリンク情報を一時退避するリンク情報退避工程と、前記リンク情報退避工程でリンク情報が退避された元データを前記変更データに書き換えるデータ書き込み工程と、前記データ書き込み工程で書き換えられた変更データ中に前記退避されたリンク情報を書き込むリンク情報書き込み工程とを備える。
また、本発明に係る情報処理装置は、前記課題を解決するために、目的地や目的施設に関する文字、画像及び地図データからなるベンダー側提供のガイド情報と、ユーザが書き加えたユーザ情報とを表示する情報処理装置において、前記ガイド情報とは別の領域に書き加えた前記ユーザ情報には変更を加えず、ベースとなる前記ガイド情報だけを変更するガイド情報変更プログラムを記録している記録媒体と、前記記録媒体から前記ガイド情報変更プログラムを読み出して実行する実行手段と、前記実行手段によって実行されたガイド情報変更プログラムによって変更された前記ガイド情報と、変更が加えられなかった前記ユーザ情報とを表示する表示手段とを備える。前記実行手段は、前記ユーザ情報には変更を加えず、ベースとなる前記ガイド情報だけを変更するための前記ガイド情報変更プログラムを前記記録媒体から読み出して実行することにより、新バージョンの変更データを読み込み、書き込み先を検索し、旧バージョンの元データを探し、前記元データ中に前記ユーザ情報へのリンク情報があるか否かを判定し、判定されたリンク情報を一時退避し、リンク情報が退避された元データを前記変更データに書き換えるデータ書き込み、書き換えられた変更データ中に前記退避されたリンク情報を書き込む。
【手続補正６】
【補正対象書類名】明細書
【補正対象項目名】００４２
【補正方法】変更
【補正の内容】
【００４２】
さらには、デジタルカメラ３０は、内部バスを介して各部の動作を制御するＣＰＵ４２を設ける。デジタルカメラ３０が例えばナビゲーション装置に出す要求信号は、ＣＰＵ４２から通信コントロール部４３を経由し、ローカル無線通信部３１のベースバンド処理部３２で信号処理され、ＲＦ処理部３３で伝送波にのせられ、ローカル無線通信アンテナ３４からナビゲーション装置に無線送信される。また、逆に、ナビゲーション装置から無線送信されてきた電波は、ローカル無線通信アンテナ３４で受信され、ＲＦ部３３で信号抽出され、ベースバンド信号処理部３２で信号処理され、通信コントロール部４３経由でＣＰＵ４２に伝えられる。
【手続補正７】
【補正対象書類名】明細書
【補正対象項目名】００７８
【補正方法】変更
【補正の内容】
【００７８】
また、旅行ガイド情報中の写真を、自分が撮影した写真に置き換えることができる。そうすることにより、ガイドブックで用いられる写真を、例えば自分が写っている写真にして保存することができる。
【手続補正８】
【補正対象書類名】明細書
【補正対象項目名】０１２０
【補正方法】変更
【補正の内容】
【０１２０】
また、本発明に係るガイド情報変更プログラムを情報処理装置に実行させることにより、ユーザが書き込んだユーザ情報はそのままに、ベンダー側が提供したガイド情報だけを変更できる。このため、ユーザは、自分で書き込んだ情報をバージョンアップの後、再び書き込むようなことはしなくてもよく、そのまま使用することができる。つまり、本発明に係る情報処理装置は、ユーザが書き込んだユーザ情報はそのままに、ベンダー側が提供したガイド情報だけを変更できる。このため、ユーザは、自分で書き込んだ情報をバージョンアップの後、再び書き込むようなことはしなくてもよく、そのまま使用することができる。